(57)【要約】【課題】任意の競技参加者について、チェックポイント等の通過地点での氏名や通過時刻等の競技者情報を容易に把握することを可能とする。【解決手段】選手が着用するゼッケンに付されたカラーコードを含むタグの識別情報と選手の識別情報とを対応付けた選手情報を記憶する選手管理テーブルと、選手の識別情報と競技ルート上のある間隔ごとの地点における選手の通過時刻とを対応付けた通過情報を記憶する通過情報テーブルとを記憶する記憶部と、各地点に設けられた第１の撮像部が撮像した画像の中からタグを検知する第１の検知部と、第１の検知部がタグを検知した時刻を計時するとともに、検知されたタグに含まれるタグの識別情報と選手管理テーブルと計時された時刻とに基づいて、通過情報テーブルに選手の通過情報を記録する記録部と、ネットワークを介して接続された端末からの要求に従って、記録部によって記録された選手の通過情報を端末に送信する情報提供部と、を備える。【選択図】  図１４
2015150104.tif 000002
【特許請求の範囲】
【請求項１】
選手が着用するゼッケンに付されたカラーコードを含むタグの識別情報と選手の識別情報とを対応付けた選手情報を記憶する選手管理テーブルと、選手の識別情報と競技ルート上のある間隔ごとの地点における選手の通過時刻とを対応付けた通過情報を記憶する通過情報テーブルとを記憶する記憶部と、
前記地点に設けられた第１の撮像部が撮像した画像の中から前記タグを検知する第１の検知部と、
前記第１の検知部が前記タグを検知した時刻を計時するとともに、検知された前記タグに含まれるタグの識別情報と前記選手管理テーブルと計時された時刻とに基づいて、前記通過情報テーブルに選手の通過情報を記録する記録部と、
ネットワークを介して接続された端末からの要求に従って、前記記録部によって記録された選手の通過情報を前記端末に送信する情報提供部と、
を備えることを特徴とする通過時刻集計システム。
【請求項２】
前記通過情報集計システムの各部は管理サーバに備えられ、
選手が着用するゼッケンに付されたカラーコードを含むタグを撮像する第２の撮像部と、
前記要求の入力および前記通過情報を表示する入力表示部と、
前記第２の撮像部が撮像した画像の中から前記タグを検知する第２の検知部と、
前記第２の検知部が検知した前記タグに含まれるタグの識別情報を前記要求として前記管理サーバに送信し、前記管理サーバから前記選手の通過情報を受信し前記入力表示部に表示する制御部と、を有した前記端末、
を備えることを特徴とする通過時刻集計システム。
【請求項３】
前記管理サーバは、前記通過情報テーブルに基づいて選手それぞれの競技結果を集計し、その集計結果を出力する集計部をさらに備え、前記情報提供部は、前記集計結果と前記通過情報とを前記端末に送信し、前記端末は、前記制御部が前記集計結果とともに前記通過情報を前記入力表示部に表示する、
ことを特徴とする請求項２に記載の通過時刻集計システム。
【請求項４】
前記端末は前記第２の撮像部を備えた携帯端末である、
ことを特徴とする請求項２または３に記載の通過時刻集計システム。
【請求項５】
前記通過情報集計システムは、前記カメラによる競技中継を受信して画面に表示するテレビ受像機をさらに備え、
前記端末の前記第２の撮像部は前記テレビ受像機が画面に表示した選手が着用するゼッケンに付されたカラーコードを有したタグを含む画像を撮像し、第２の検知部は前記タグを検知し、前記タグに含まれるタグの識別情報を前記要求として前記管理サーバに送信し、
前記管理サーバの前記情報提供部は前記記録部によって記録された選手の通過情報を前記端末に送信し、
前記テレビ受像機は競技中継画面とともに前記通過情報を画面に表示する、
ことを特徴とする請求項２〜４のいずれか１項に記載の通過時刻集計システム。
【請求項６】
前記端末の前記制御部は、前記第２の撮像部が撮像した前記タグを含む画像とその撮像時刻とを対応付けた撮像データを前記管理サーバに送信し、
前記管理サーバの前記記録部は前記記憶部に前記撮像データを記憶し、録画された競技番組に対する再生時間を含む再生信号を前記テレビジョン受像機から受信した場合に、その録画データの再生時間と前記撮像データとに基づいて撮像時刻になったか否かを判定し、前記撮像時刻になったと判定した場合、前記撮像データに含まれる前記タグの識別情報と、前記選手管理テーブルおよび前記通過情報テーブルとに基づいて、前記通過情報を前記画面に表示する、
ことを特徴とする請求項５に記載の通過時刻集計システム。
【請求項７】
競技ルート上のある間隔ごとの地点に設けられた第１の撮像部が撮像した画像の中から選手が着用するゼッケンに付されたカラーコードを含むタグを検知する第１の検知ステップと、
前記第１の検知ステップにおいて前記タグを検知した時刻を計時するとともに、検知された前記タグに含まれるタグの識別情報と前記タグの識別情報と選手の識別情報とを対応付けた選手情報を記憶する選手管理テーブルと計時された時刻とに基づいて、選手の識別情報と競技ルート上のある間隔ごとの地点における選手の通過時刻とを対応付けた通過情報を記憶する通過情報テーブルに選手の通過情報を記録する記録ステップと、
ネットワークを介して接続された端末からの要求に従って、前記記録ステップにおいて記録された選手の通過情報を前記端末に送信する情報提供ステップと、
を含むことを特徴とする通過時刻集計方法。
【請求項８】
前記記録ステップが実行された場合に、選手が着用するゼッケンに付されたカラーコードを含むタグを撮像する第２の撮像ステップと、
前記要求の入力を受け付ける入力受付ステップと、
前記第２の撮像ステップにおいて撮像した画像の中から前記タグを検知する第２の検知ステップと、
前記第２の検知ステップにおいて検知した前記タグに含まれるタグの識別情報を前記要求として前記管理サーバに送信する送信ステップと、
前記管理サーバから前記選手の通過情報を受信し前記端末に表示する受信表示ステップと、
を含むことを特徴とする請求項７に記載の通過時刻集計方法。
【発明の詳細な説明】
【技術分野】
【０００１】
本発明は、競技者の通過時刻を集計する通過時刻集計システム、通過時刻集計方法に関する。
【背景技術】
【０００２】
従来から、競技者の通過時刻を計測する様々な技術が存在する。例えば、特許文献１では、移動体が保持する計時用検出装置が、トリガ信号に応答して識別番号を出力可能なＩＤタグと、ＩＤタグが出力した識別番号を受信するＩＤ受信アンテナとを含み、ＩＤタグが複数の異なる周波数で固有番号を出力するとともにＩＤ受信アンテナが異なる複数の周波数の信号を受信することにより、多くの競争者等に対する計時を可能としている。
【先行技術文献】
【特許文献】
【０００３】
【特許文献１】特開２００４−０５７８０５号公報
【発明の概要】
【発明が解決しようとする課題】
【０００４】
しかしながら、上記従来技術では、競技参加者自身のスタート時間からゴール時間までの所要時間を計測することは可能であるが、各競技参加者の通過時刻は計測できず、また、通過時刻を集計する場合には、競技参加者全員のＩＤタグを読み取らなければならない。さらに、競技参加者の通過時刻をゴール以外の地点で計測することを想定していない。
本発明は、任意の競技参加者について、チェックポイント等の通過地点での氏名や通過時刻等の競技者情報を容易に把握することが可能な通過時刻集計システム、通過時刻集計方法を提供することを目的とする。
【課題を解決するための手段】
【０００５】
上述した課題を解決し、目的を達成するために、本発明にかかる通過時刻集計システムは、選手が着用するゼッケンに付されたカラーコードを含むタグの識別情報と選手の識別情報とを対応付けた選手情報を記憶する選手管理テーブルと、選手の識別情報と競技ルート上のある間隔ごとの地点における選手の通過時刻とを対応付けた通過情報を記憶する通過情報テーブルとを記憶する記憶部と、前記地点に設けられた第１の撮像部が撮像した画像の中から前記タグを検知する第１の検知部と、前記第１の検知部が前記タグを検知した時刻を計時するとともに、検知された前記タグに含まれるタグの識別情報と前記選手管理テーブルと計時された時刻とに基づいて、前記通過情報テーブルに選手の通過情報を記録する記録部と、ネットワークを介して接続された端末からの要求に従って、前記記録部によって記録された選手の通過情報を前記端末に送信する情報提供部と、を備えることを特徴とする通過情報集計システムとして構成される。
【０００６】
また、本発明は、上記通過時刻集計システムで行われる通過時刻集計方法としても把握される。
【発明の効果】
【０００７】
本発明によれば、任意の競技参加者について、チェックポイント等の通過地点での氏名や通過時刻等の競技者情報を容易に把握することが可能となる。
【図面の簡単な説明】
【０００８】
【図１】本実施の形態における通過時刻集計システムの構成例を示す図である。
【図２】管理ＰＣの機能的な構成を示すブロック図である。
【図３】管理サーバの機能的な構成を示すブロック図である。
【図４】記憶部が記憶するデータの例を示す図である。
【図５】端末の機能的な構成を示すブロック図である。
【図６】選手管理テーブルの構成例を示す図である。
【図７】通過情報テーブルの構成例を示す図である。
【図８】選手が着用するゼッケンに付されたタグの例を示す図である。
【図９】選手受付処理の処理手順を示すフローチャートである。
【図１０】タグ検知処理の処理手順を示すフローチャートである。
【図１１】競技終了処理の処理手順を示すフローチャートである。
【図１２】競技者検索画面の例を示す図である。
【図１３】情報提供部が端末に送信する検索結果の例を示す図である。
【図１４】本システム全体のイメージ図である。
【発明を実施するための形態】
【０００９】
以下に添付図面を参照して、本発明にかかる通過時刻集計システム、通過時刻集計方法の実施の形態を詳細に説明する。
【００１０】
図１は、本実施の形態における通過時刻集計システム１０００の構成例を示す図である。図１に示すように、通過時刻集計システム１０００は、管理ＰＣ１００と、管理サーバ２００と、データ通信機器３００およびカメラ４００とがインターネットＮ１によって接続されている。また、管理サーバ２００は、本システムにより競技を観戦する視聴者や観戦者の端末５００に、インターネットＮ２を介して接続されている。
【００１１】
管理ＰＣ１００は、競技参加する選手を登録するために管理者（例えば、主催者）が使用する端末であり、一般的なコンピュータから構成される。
【００１２】
図２は、管理ＰＣ１００の機能的な構成を示すブロック図である。図２に示すように、管理ＰＣ１００は、入力受付部１１０と、表示部１２０と、通信部１３０と、制御部１４０とを有して構成されている。
【００１３】
入力受付部１１０は、選手名、その選手を識別するための選手ＩＤ、年齢、性別、国籍や地域等のその選手の属性情報、選手が着用するゼッケンに付されたタグ（後述）を識別するためのタグＩＤ等、本システムで使用する様々な情報の入力を受け付ける。表示部１２０は、入力受付部１１０が受け付けた選手の登録結果や管理サーバ２００による競技終了後の各選手の計測時刻や順位等、競技の集計結果を表示する。通信部１３０は、管理サーバ２００との間で、本システムで使用される各種データを送受信する。制御部１４０は、管理ＰＣ１００の各部の動作を制御する。なお、以下では具体的な記載は省略しているが、管理ＰＣ１００の各機能は、実際には、例えば、ＣＰＵ（Central Processing Unit）等の演算装置がＲＯＭ（Read Only Memory）等のメモリに記憶されているプログラムを実行することにより実現される。
【００１４】
管理サーバ２００は、任意の競技参加者について、ある地点（チェックポイント）での氏名や通過時刻等の競技者情報を集計しその結果を出力するサーバであり、一般的なサーバから構成される。
【００１５】
図３は、管理サーバ２００の機能的な構成を示すブロック図である。図３に示すように、管理サーバ２００は、記憶部２１０と、受付処理部２２０と、検知部２３０と、記録再生部２４０と、集計部２５０と、情報提供部２６０と、通信部２７０と、制御部２８０とを有して構成されている。
【００１６】
記憶部２１０は、図４に示すように、選手管理テーブル２１０１と、通過情報テーブル２１０２とを記憶する。選手管理テーブル２１０１は、競技に参加する選手を管理するテーブルである。通過情報テーブル２１０２は、選手がチェックポイント、スタート、ゴール等のある地点における通過時刻を管理するテーブルである。これらの各テーブルの具体的な構成については後述する。なお、記憶部２１０は、これらの各テーブルの他、後述する記録再生部２４０が記録する画像を記憶する。続いて、図１に戻って、受付処理部２２０以降の各部について説明する。
【００１７】
受付処理部２２０は、管理ＰＣ１００からの要求に従って、競技に参加する選手の登録や選手を識別するために着用するゼッケンを発行する処理部である。検知部２３０は、カメラ４００によって撮像された画像からゼッケンに付されたタグを検知する処理部である。記録再生部２４０は、検知部２３０が検知したタグを読み取るとともにその時点の時刻を計時し、その結果を通過情報テーブル２１０２に記録する処理部である。集計部２５０は、記録再生部２４０が通過情報テーブル２１０２に記録した情報を集計する処理部である。
【００１８】
情報提供部２６０は、端末５００からの要求により、集計された情報や通過情報テーブル２１０２に記録されている選手ごとの情報を端末５００に提供する処理部である。通信部２７０は、管理ＰＣ１００や端末５００との間で、本システムで使用される各種データを送受信する。制御部２８０は、管理サーバ２００の各部の動作を制御する。なお、以下では具体的な記載は省略しているが、管理ＰＣ１００と同様に、これらの各機能は、実際には、例えば、ＣＰＵ等の演算装置がＲＯＭ等のメモリに記憶されているプログラムを実行することにより実現される。これらの各部が行う具体的な処理は、フローチャートを用いて後述する。
【００１９】
データ通信機器３００は、カメラ４００が撮像した画像を、インターネットＮ１を介して管理サーバ２００に送信する機器であり、一般的な通信機器である。カメラ４００は、選手が着用するゼッケンに付されたタグを撮像するカメラであり、スタート、ゴール、チェックポイント等、競技においてあらかじめ定められたルート上の地点に設置される。カメラ４００が撮像している画像は、適宜データ通信機器３００によって管理サーバ２００に送信され、送信された画像に含まれるタグが、検知部２３０によって読み取られる。
【００２０】
端末５００は、競技の視聴者や観戦者が競技を観戦するための端末であり、例えば、スマートフォンやタブレット等の一般的な端末から構成される。
【００２１】
図５は、端末５００の機能的な構成を示すブロック図である。図５に示すように、端末５００は、入力表示部５１０と、撮像部５２０と、検知部５３０と、通信部５４０と、制御部５５０とを有して構成されている。
【００２２】
入力表示部５１０は、視聴または観戦する選手名や選手ＩＤ等の選手に関する情報を表示するための指示や、撮像部５２０によって撮像された選手が着用するゼッケンに付されたタグを表示する。撮像部５２０は、選手が着用するゼッケンに付されたタグを含む画像を撮像する。検知部５３０は、撮像されたタグを検知する処理部である。通信部５４０は、管理サーバ２００との間で、本システムで使用される各種データを送受信する。制御部５５０は、端末５００の各部の動作を制御する。
【００２３】
なお、以下では具体的な記載は省略しているが、管理ＰＣ１００や管理サーバ２００と同様に、端末５００の各機能は、実際には、例えば、ＣＰＵ等の演算装置がＲＯＭ等のメモリに記憶されているプログラムを実行することにより実現される。また、本実施例では、端末５００に検知部５３０を有しているが、撮像部５２０によって撮像された画像をそのまま管理サーバ２００に送信し、管理サーバ２００の検知部２３０がその画像に含まれるタグを検知してもよい。これらの各部が行う具体的な処理は、フローチャートを用いて後述する。
【００２４】
図６は、選手管理テーブル２１０１の構成例を示す図である。図６に示すように、選手管理テーブル２１０１は、競技に参加する選手を識別するための選手ＩＤと、その選手ＩＤによって識別される選手名と、その選手の属性（年齢、性別、国籍や地域）と、その選手が着用するゼッケンに付されたタグを識別するためのタグＩＤとが対応付けた選手情報が記憶されている。図６では、例えば、選手ＩＤ「ｘｘｘｘｘ１」によって識別される選手の選手名「選手１」の選手は、日本国籍を有する２０歳の男性であり、タグＩＤ「００００１」によって識別されるタグが付されたゼッケンを着用していることを示している。なお、本実施例では、選手の属性として国籍や地域を示しているが、例えば、高校や大学に代表される学校等の様々なグループを属性として記憶することとしてもよい。
【００２５】
図７は、通過情報テーブル２１０２の構成例を示す図である。図７に示すように、通過情報テーブル２１０２は、選手ＩＤと、スタート、ゴール、チェックポイント等、競技においてあらかじめ定められた地点を示すポイントと、そのポイントをその選手が通過した時刻とが対応付けて記憶されている。図７では、例えば、この競技ではスタートからゴールまでに４つのチェックポイントが設けられており、選手ＩＤ「ｘｘｘｘｘ１」によって識別される選手は、第１〜第４のチェックポイントを、それぞれ１０時１０分、１１時１５分、１２時１５分、１２時４０分に通過し、最終的に１３時３０分にゴールしたことを示している。同様に、選手ＩＤ「ｘｘｘｘｘ２」によって識別される選手は、第１〜第４のチェックポイントを、それぞれ１０時１１分、１０時５０分、１１時３０分、１２時１０分に通過し、最終的に１２時３０分にゴールしたことを示している。このように、通過情報テーブル２１０２には、選手ごとにチェックポイントの通過時刻が記録されている。
【００２６】
ここで、選手が着用するゼッケンに付されたタグについて説明する。図８は、選手が着用するゼッケンに付されたタグの例を示す図である。図８に示すように、タグはゼッケンに記載されている選手ＩＤの下部に付された複数の色彩から構成されたカラーコードであり、例えば、複数の色を二次元配列したカメレオンコードであり、タグＩＤを含んでいる。本実施例では、競技に参加する選手が着用するゼッケンごとにユニークなタグを各チェックポイント等に設置されたカメラ４００が撮像し、撮像された画像から検知されたカメレオンコードのようなカラータグを識別することによって、スタートやゴール、各チェックポイントを通過する選手の時刻を計時している。したがって、従来技術のように、各競技参加者の通過時刻を計測したり集計する際に、競技参加者全員のＩＤタグを読み取らなければならないといった処理を実行する必要がなく、また、ゴール以外の地点での通過時刻を容易に計測することができ、各地点での各選手の氏名や通過時刻等の競技者情報を容易に把握することができる。続いて、本システムで行われる処理について説明する。
【００２７】
図９は、通過時刻集計システム１０００が行う選手受付処理の処理手順を示すフローチャートである。
【００２８】
図９に示すように、選手受付処理では、管理ＰＣ１００の入力受付部１１０は、管理者から協議に参加する各選手の選手情報の入力を受け付け、制御部１３０は、受け付けられた選手情報を管理サーバ２００に送信する（ステップＳ９０１）。
【００２９】
管理サーバ２００の受付処理部２２０は、それぞれに異なるタグが付されたゼッケンの中から１つのゼッケンを発行し、管理ＰＣ１００から受信した選手情報とともに、発行したゼッケンに付されるタグのタグＩＤを、図６に示した選手管理テーブル２１０１に登録する（ステップＳ９０２）。このステップＳ９０２の処理が終了すると、図９に示した選手受付処理が終了する。
【００３０】
図１０は、競技開始後に行われるタグ検知記録処理の処理手順を示すフローチャートである。以下では、選手がスタート地点から第１、第２のチェックポイントを通過してゴールする場合について説明しているが。第３、第４のチェックポイントにおいても同様である。
【００３１】
管理サーバ２００の検知部２３０は、各チェックポイントに設置されているカメラ４００から受信した画像の中からタグを検知し、記録再生部２４０は、検知したタグに含まれるタグＩＤを読み取って選手情報テーブル２１０１にアクセスし、そのタグＩＤに対応する選手ＩＤを読み取る。そして、読み取った選手ＩＤと、計時した時刻と、カメラ４００が設置されているチェックポイントの地点とを対応付けて通過情報テーブル２１０２に記録する（ステップＳ１００１）。この処理と同様に、他のチェックポイントに設置されているカメラ４００が撮像した画像について、検知部２３０および記録再生部２４０は、それぞれ上述した処理を実行する（ステップＳ１００２〜１００３）。
【００３２】
図１１は、競技終了後に行われる競技終了処理の処理手順を示すフローチャートである。図１１に示すように、競技終了処理では、管理ＰＣ１００の入力受付部１０１が、各選手が着用したゼッケンの返却を受け付け（ステップＳ１１０１）、集計部２５０が、選手の属性別の順位（例えば、男女別、年齢別などの順位）を、通過情報テーブル２１０２に記録されているデータを読み取り、集計する（ステップＳ１１０２）。さらに、情報提供部２６０は、集計部２５０による集計結果を、端末５００に送信して競技結果を公開する（ステップＳ１１０３）。このステップＳ１１０３の処理が終了すると、図１１に示した競技終了処理が終了する。
【００３３】
図９〜図１１に示した各処理が実行されることにより、視聴者や観戦者は、各選手についての競技結果を知ることができる。本実施例では、さらに視聴者や観戦者が、端末５００からの操作により、選手それぞれの通過情報を閲覧することができるようになっている。通過情報の閲覧は、競技開始後、通過情報が通過情報テーブル２１０２に記録されて以降、任意のタイミングで可能である。なお、以下では通過情報を画面に表示する場合について説明しているが、通過情報と共に、上述した集計結果を画面に表示させてもよい。
【００３４】
具体的には、視聴者や観戦者は、端末５００の入力表示部５１０を操作して、図１２に示すような競技者検索画面Ａ１を表示する。競技者検索画面Ａ１は、端末５００のメモリ（不図示）にあらかじめダウンロードされている。図１２に示すように、競技者検索画面Ａ１は、選手を検索するための「選手ＩＤ入力」欄および「カラータグ読込」欄を有している。視聴者または観戦者は、この画面の「選手ＩＤ入力」欄を選択すると、その操作を入力表示部５１０が受け付けて選手ＩＤ入力画面Ａ２を表示し、視聴者または観戦者は、その画面から選手ＩＤを入力する。制御部５５０は、入力表示部５１０が受け付けた選手ＩＤを管理サーバ２００に送信し、管理サーバ２００の情報提供部２６０は、その選手ＩＤを参照して通過情報管理テーブル２１０２にアクセスし、その選手ＩＤの通過情報を読み取り、結果を端末５００に送信する。
【００３５】
また、視聴者または観戦者が、競技者検索画面の「カラータグ読込」欄を選択すると、その操作を入力表示部５１０が受け付けてカラータグ読込画面Ａ３を表示するとともに撮像部５２０が起動する。撮像部５２０がカラータグを撮像すると、検知部５３０は撮像されたカラータグを検知する。カラータグの撮像は、例えば、視聴者や観戦者が撮像部５２０によりランナーが着用するゼッケンを直接撮像し、検知部５３０がカラータグを検知するケース（パターン１）、あらかじめ競技に参加する選手が着用するゼッケンや、そのゼッケンに付されたカラータグが掲載された選手一覧等のパンフレットを、撮像部５２０が撮像し、検知部５３０がカラータグを検知するケース（パターン２）などによって行われる。
【００３６】
カラータグが検知されると、制御部５５０は、検知したカラータグを管理サーバ２００に送信し、そのカラータグのタグＩＤを参照して選手管理テーブル２１０１にアクセスし、そのタグＩＤに対応する選手ＩＤを読み取る。そして、管理サーバ２００の情報提供部２６０は、その選手ＩＤを参照して通過情報管理テーブル２１０２にアクセスし、その選手ＩＤの通過情報を読み取り、結果を端末５００に送信し、端末５００の入力表示部５１０が、その選手の通過情報を表示する。
【００３７】
図１３は、情報提供部２６０が端末５００に送信する検索結果の例を示す図である。図１３では、選手ＩＤやカラータグによる通過情報を検索した結果、ある特定の選手（Ａ選手）の通過情報を入力表示部５１０に表示したり（図１３左）、視聴中のＴＶ画面に出力する（図１３右）場合の例を示している。視聴者がＴＶにより競技を観戦している場合、そのＴＶ画面に表示されている選手のゼッケンに付されたカラータグを端末５００の撮像部５２０が撮像し、検知部５３０が検知したカラータグを管理サーバ２００に送信し、上述した場合と同様に、ＴＶ画面にその結果を表示させる。
【００３８】
このように、本実施例では、選手ＩＤの入力やカラータグの検知によって通過情報を端末５００に表示するので、視聴者や観戦者自らが確認したい様々な選手（例えば、有名選手だけでなく、一般市民の選手等）の通過情報を容易に確認することができる。なお、検知部５３０が複数の選手のカラータグを一度に検知した場合には、情報提供部２６０は、図１３右に示すように、複数の選手の通過情報を表示する。視聴者や観戦者は、選手間のタイム差やチェックポイント間にかかった時間を確認したり、あるいはルート構成（例えば、第１チェックポイント直線は上り勾配である）、天候（例えば、向かい風５メートル）等の情報が分かっている場合には、さらにそのタイム差やチェックポイント間にかかった時間の原因を把握することができる。
【００３９】
本実施例では、上述した各処理を行うことにより、図１４に示すように、選手Ｘが競技中に各チェックポイントを通過するごとにカメラ４００が撮像したゼッケンに付されたカラータグを検知部２３０が検知し、記録再生部２４０が通過情報テーブル２１０２を随時更新する。観戦者Ｙ１は自身の位置から選手を撮像し、選手が着用するゼッケンに付されたカラータグを検知して管理サーバ２００にその情報を送信し、その選手の通過情報を受け取って、その内容を確認することができる。また、視聴者Ｙ２は、自身が視聴するＴＶに映っている選手を撮像し、観戦者と同様に、ゼッケンに付されたカラータグを検知して管理サーバ２００にその情報を送信し、その選手の通過情報を端末５００またはＴＶにより受け取って、その内容を確認することができる。
【００４０】
なお、本実施例では、競技開催中における選手の通過情報を確認する場合について説明したが、ＴＶ中継等で録画された番組を視聴する場合にも生中継の場合と同様にもちろん適用することができる。さらに、視聴者が競技を番組録画しておき、自らは観戦者として観戦して選手が着用したゼッケンに付されたカラータグを撮像し、後で録画された番組を視聴する場合にも適用することができる。
【００４１】
具体的には、端末５００の制御部５５０が撮像されたカラータグのタグＩＤと撮像時刻とを対応付けた撮像データを生成し、記録再生部２４０は生成した撮像データを管理サーバ２００に送信して記憶部２１０に記憶しておく。記録再生部２４０は、ＴＶやリモコンを介して、録画された競技番組に対する再生時間を含む再生信号を受信したときに、その録画データの再生時間と、生成した撮像データとを参照し、撮像時刻になったか否かを判定する。記録再生部２４０は、撮像時刻になったと判定した場合、生成した撮像データに含まれるカラータグのタグＩＤと、選手管理テーブル２１０１および通過情報テーブル２１０２とを参照し、図１３に示したようにＴＶ画面に表示させることとしてもよい。この場合、観戦者である視聴者は、自らの体験を踏まえつつ、臨場感のある番組を視聴することができる。
【００４２】
また、検知部２３０が、カメラ４００が撮像した画像からカラータグを検知した場合には、図１３に示したように、情報提供部２６０が、随時、ＴＶ画面に選手の通過情報を表示させてもよい。例えば、ＴＶ中継等でチェックポイントに設置されているカメラ４００によって撮像された選手がアップ画像になった場合、その選手が着用するゼッケンに付されたカラータグを検知部２３０が検知し、情報提供部２６０がその選手の通過情報をＴＶ画面の中継映像とともに表示する。この場合、視聴者は、アップ画像によって注目された選手についての通過情報を、中継画面と同時に確認することができる。
【符号の説明】
【００４３】
１０００              通過時刻集計システム
１００                管理ＰＣ
１１０                入力受付部
１２０                表示部
１３０                通信部
１４０                制御部
２００                管理サーバ
２１０                記憶部
２２０                受付処理部
２３０                検知部
２４０                記録再生部
２５０                集計部
２６０                情報提供部
２７０                通信部
２８０                制御部
２１０１              選手管理テーブル
２１０２              通過情報テーブル
３００                データ通信機器
４００                カメラ
５００                端末
５１０                入力表示部
５２０                撮像部
５３０                検知部
５４０                通信部
５５０                制御部
Ｎ１、Ｎ２                  インターネット。
【図１】
2015150104.tif 000003
【図２】
2015150104.tif 000004
【図３】
2015150104.tif 000005
【図４】
2015150104.tif 000006
【図５】
2015150104.tif 000007
【図６】
2015150104.tif 000008
【図７】
2015150104.tif 000009
【図８】
2015150104.tif 000010
【図９】
2015150104.tif 000011
【図１０】
2015150104.tif 000012
【図１１】
2015150104.tif 000013
【図１２】
2015150104.tif 000014
【図１３】
2015150104.tif 000015
【図１４】
2015150104.tif 000016